(57)【要約】  【課題】  フロントキャビネットをパネルモジュールに仮固定することができ、この仮固定の状態を維持してバックキャビネットとフロントキャビネットとを結合固定することができるようにする。  【解決手段】  前側に表示面１１ａを有するパネルモジュール１の周縁部を取り囲むフロントキャビネット２を、パネルモジュール１の後側を覆うバックキャビネット３の周縁部が結合された環部２１と、該環部２１の外周部に連なり、バックキャビネット３の周縁部を覆う筒部２２と、該筒部２２の内面より表示面の中央側へ離隔した位置に突設された被係止部２３とを有する構成とし、被係止部２３が係止された係止部１２ｂをパネルモジュール１に設けることにより、フロントキャビネット２をパネルモジュール１に仮固定した。【選択図】  図３
2006337976.tif 000002
【特許請求の範囲】
【請求項１】
前側に表示面を有するパネルモジュールと、該パネルモジュールの周縁部を取り囲むフロントキャビネットと、前記パネルモジュールの後側を覆うバックキャビネットとを備えた表示装置において、前記フロントキャビネットは前記バックキャビネットの周縁部が結合された環部と、該環部の外周部に連なり、前記バックキャビネットの周縁部を覆う筒部と、該筒部の内面より前記表示面の中央側へ離隔した位置に突設された被係止部とを有しており、前記パネルモジュールは前記被係止部が係止された係止部を有することを特徴とする表示装置。
【請求項２】
前記パネルモジュールは、表示面を有するパネル本体及び該パネル本体の周縁部を保持し、且つ端縁に前記係止部を有する保持枠体を備え、前記被係止部は前記環部に取着されている請求項１記載の表示装置。
【請求項３】
前記環部は複数のリブが突設されており、前記被係止部は、一端が前記リブに取着され、他端にフックを有する可撓体である請求項２記載の表示装置。
【発明の詳細な説明】
【技術分野】
【０００１】
本発明は液晶表示装置、プラズマ表示装置等の表示装置に関する。
【背景技術】
【０００２】
テレビ等の表示装置は、画像を表示する表示面を前側に有するパネルモジュールと、該パネルモジュールの周縁部を取り囲むフロントキャビネットと、前記パネルモジュールの後側を覆うバックキャビネットとを備えている（例えば特許文献１参照）。この表示装置はバックキャビネットの上部に係止部が設けられ、下部に螺子結合部が設けられており、フロントキャビネットの上部に被係止部が設けられ、下部に螺子結合部が設けられている。そして、バックキャビネットの係止部をフロントキャビネットの被係止部に係止してバックキャビネット及びフロントキャビネットを仮結合し、バックキャビネット及びフロントキャビネットの螺子結合部を螺子で結合することによりバックキャビネット及びフロントキャビネットを結合固定するようになっている。
【０００３】
ところで、表示装置のパネルモジュールには表示面を有するパネル本体と、該パネル本体の裏側に配置されたバックライト部と、回路基板、電源基板等の電気部品が組み込まれており、メンテナンスを行うとき、バックキャビネットを取外すことにより前記電気部品を補修することができるように構成されている。
【特許文献１】特開平９−６５２５０号公報
【発明の開示】
【発明が解決しようとする課題】
【０００４】
ところが、特許文献１にあっては、電気部品等のメンテナンスを行うべくバックキャビネットを取外す場合、被係止部の係止及び螺子結合部の結合が夫々解除され、フロントキャビネットが転倒し易くなる。従って、比較的大形の表示装置において、フロントキャビネットの転倒を防いだ状態を維持して電気部品等の補修を行う作業が行い難いし、また、補修作業後にバックキャビネットをフロントキャビネットに結合する作業が行い難いと言う問題がある。また、組立て工程において、パネルモジュールの周縁部を取り囲んだフロントキャビネットにバックキャビネットを結合するとき、フロントキャビネットの転倒を防いだ状態でバックキャビネットをフロントキャビネットに結合する作業が行い難いと言う問題がある。
【０００５】
本発明は斯かる事情に鑑みてなされたものであり、主たる目的はバックキャビネットの周縁部が結合された環部と、該環部の外周部に連なり、前記バックキャビネットの周縁部を覆う筒部と、該筒部の内面より表示面の中央側へ離隔した位置に突設された被係止部とをフロントキャビネットが有し、被係止部が係止された係止部をパネルモジュールが有する構成とすることにより、フロントキャビネットをパネルモジュールに仮固定することができ、この仮固定の状態を維持してバックキャビネットとフロントキャビネットとを結合固定することができる表示装置を提供することにある。
【０００６】
また、他の目的は表示面を有するパネル本体の周縁部を保持し、且つ端縁に係止部を有する保持枠体をパネルモジュールが備え、被係止部をフロントキャビネットの環部に取着した構成とすることにより、既存のパネルモジュールを用いることができ、さらに、既存のフロントキャビネットに被係止部を取着することができる表示装置を提供することにある。
【０００７】
また、他の目的はフロントキャビネットの環部に複数のリブを突設し、被係止部を、一端が前記リブに取着され、他端にフックを有する可撓体である構成とすることにより、フロントキャビネットの仮固定を簡易にでき、フロントキャビネットの組込作業性を向上できる表示装置を提供することにある。
【課題を解決するための手段】
【０００８】
本発明に係る表示装置は、前側に表示面を有するパネルモジュールと、該パネルモジュールの周縁部を取り囲むフロントキャビネットと、前記パネルモジュールの後側を覆うバックキャビネットとを備えた表示装置において、前記フロントキャビネットは前記バックキャビネットの周縁部が結合された環部と、該環部の外周部に連なり、前記バックキャビネットの周縁部を覆う筒部と、該筒部の内面より前記表示面の中央側へ離隔した位置に突設された被係止部とを有しており、前記パネルモジュールは前記被係止部が係止された係止部を有することを特徴とする。
【０００９】
この発明にあっては、フロントキャビネットが組込まれる工程では、フロントキャビネットの被係止部をパネルモジュールの係止部に係止することによりフロントキャビネットをパネルモジュールに仮固定することができ、この仮固定の状態を維持してバックキャビネットとフロントキャビネットとを結合固定することができる。従って、フロントキャビネットがパネルモジュールに嵌込まれた後、フロントキャビネットが取着されるまでに振動、衝撃がフロントキャビネットに加わることがあっても、該フロントキャビネットの仮固定の状態を維持することができ、フロントキャビネットの組込作業性を向上できる。
【００１０】
また、フロントキャビネット及びバックキャビネットが組込まれたとき、バックキャビネットの周縁部はフロントキャビネットの筒部により隠蔽されるため、バックキャビネットの周縁部が外部で見られるのをなくすることができ、表示装置の外部形状を単純にできる。
また、バックキャビネットを取外して電気部品等のメンテナンスを行うとき、フロントキャビネットの仮固定の状態を維持することができるため、フロントキャビネットの転倒を気遣うことなくメンテナンスを容易に行うことができ、メンテナンスの能率を向上できる。
【００１１】
また、本発明に係る表示装置は、前記パネルモジュールは、表示面を有するパネル本体及び該パネル本体の周縁部を保持し、且つ端縁に前記係止部を有する保持枠体を備え、前記被係止部は前記環部に取着されていることを特徴とする。
【００１２】
この発明にあっては、既存のパネルモジュールを用いることができ、また、既存のフロントキャビネットに被係止部を取着することができるため、新たに被係止部を追加することによりフロントキャビネットを仮固定することができ、仮固定によるコストの増加を少なくすることができる。
【００１３】
また、本発明に係る表示装置は、前記環部は複数のリブが突設されており、前記被係止部は、一端が前記リブに取着され、他端にフックを有する可撓体であることを特徴とする。
【００１４】
この発明にあっては、取付箇所を間違えることなく被係止部をリブに取着することができ、しかも、被係止部を撓ませつつ該被係止部を係止部に係止することができるため、前記仮固定を簡易にでき、フロントキャビネットの組込作業性を向上できる。
【発明の効果】
【００１５】
以上詳述したように本発明によれば、フロントキャビネットをパネルモジュールに仮固定することができ、この仮固定の状態を維持してバックキャビネットとフロントキャビネットとを結合固定することができるため、組込工程においては、フロントキャビネットの組込作業性を向上でき、また、バックキャビネットを取外して電気部品等のメンテナンスを行うときにおいては、フロントキャビネットの転倒を気遣うことなくメンテナンスを容易に行うことができ、メンテナンスの能率を向上できる。しかも、フロントキャビネットの筒部によりバックキャビネットの周縁部を隠蔽することが可能であるため、バックキャビネットの周縁部が外部で見られるのをなくすることができ、表示装置の外部形状を単純にできる。
【００１６】
また、本発明によれば、既存のパネルモジュールを用いることができ、さらに、既存のフロントキャビネットに被係止部を取着することができるため、フロントキャビネットを仮固定することによるコストの増加を少なくすることができる。
【００１７】
また、本発明によれば、取付箇所を間違えることなく被係止部をリブに取着でき、さらに、被係止部を撓ませつつ該被係止部を係止部に係止することができるため、前記仮固定を簡易にでき、フロントキャビネットの組込作業性を向上できる。
【発明を実施するための最良の形態】
【００１８】
以下本発明をその実施の形態を示す図面に基づいて詳述する。図１は本発明に係る表示装置の構成を示す背面側の概略斜視図、図２は表示装置を分解した背面側の概略斜視図、図３及び図４は要部の拡大断面図、図５及び図６は一部を分解した拡大斜視図である。
【００１９】
図示した表示装置はテレビ画像を表示する表示面を前側に有し、直方体をなすパネルモジュール１と、該パネルモジュール１の周縁部を取り囲む四角形をなすフロントキャビネット２と、パネルモジュール１の後側を覆うバックキャビネット３と、パネルモジュール１を起立状態で支持するスタンド４とを備える液晶テレビ、換言すれば液晶表示装置である。
【００２０】
パネルモジュール１は、前側に表示面１１ａを有し直方体をなすパネル本体１１と、該パネル本体１１の周縁部を保持した四角形をなす保持枠体１２と、パネル本体１１の裏側に配置された光学シート１３と、該光学シート１３の裏側に配置され複数の蛍光管１４及び反射板１５を有するバックライト部１６と、該バックライト部１６の裏側に配置された回路基板及び電源基板等の電気部品１７とを備える。パネル本体１１、光学シート１３及びバックライト部１６は断面Ｌ字形をなす取付枠体１８内に組込まれており、該取付枠体１８が保持枠体１２内に保持されている。
【００２１】
電気部品１７はバックライト部１６の裏面に取付けられている。また、保持枠体１２は断面Ｌ字形をなし、表示面１１ａの周縁部を覆う板状の環部１２ａ、換言すれば環板部及び該環部１２ａの外周部に連なり、端縁を後記する被係止部２３が係止される係止部１２ｂとした四角形の筒部１２ｃを有する。
【００２２】
フロントキャビネット２は断面Ｌ字形をなしており、パネルモジュール１の環部１２ａを覆う板状の環部２１、換言すれば環板部と、該環部２１の外周部に連なり、バックキャビネット３の周縁部を覆う四角形の筒部２２と、該筒部２２の内面より表示面１１ａの中央側へ離隔した位置に突設された複数の被係止部２３とを有する。被係止部２３は、フロントキャビネット２の上側の横方向両端部と、下側の横方向一端部との三箇所に設けられている。
【００２３】
環部２１の内側には複数の周方向位置に台座用のリブ２４及び結合用のリブ２５が一体に突設されている。リブ２４，２５の端面にはねじ孔２４ａ，２５ａが設けられている。被係止部２３は、一端が小ねじ５によりリブ２４に取着され、他端にフック２３ａを有する合成樹脂製の可撓体である。
【００２４】
バックキャビネット３は電気部品１７等を覆う皿形覆部３１と、該皿形覆部３１の周縁に連なるフランジ部３２と、該フランジ部の周縁に連なる角筒部３３とを有する。フランジ部３２のリブ２５に対応する複数の周方向位置には、貫通孔３４ａを有する取着座３４が一体に設けられており、該取着座３４がリブ２５の端面に当接したとき、バックキャビネット３の周縁部（角筒部３３）が筒部２２内に収容され、バックキャビネット３の周縁部が筒部２２により隠蔽されるように構成されている。
【００２５】
スタンド４は載置台等に載置されるベース部４１及び該ベース部４１に立設された二つの脚部４２，４２を有しており、脚部４２，４２の上部がパネルモジュール１の裏側に取外しを可能に取着されている。
【００２６】
以上のように構成された表示装置は、パネルモジュール１の裏側に取着されたスタンド４により、パネルモジュール１の起立状態が維持され、このパネルモジュール１の起立状態でフロントキャビネット２の筒部２２がパネルモジュール１の周縁部周りに嵌込まれ、三箇所の被係止部２３が保持枠体１２の係止部１２ｂに係止される。この係止によりフロントキャビネット２をパネルモジュール１に仮固定することができる。この仮固定の状態でバックキャビネット３をバックライト部１６の裏側に嵌め、取着座３４をリブ２５の端面に当接させた状態で取着座３４の貫通孔３４ａに小ねじ６を挿入し、該小ねじ６をねじ孔２５ａに締込むことによりバックキャビネット３とフロントキャビネット２とを結合固定する。
【００２７】
このようにフロントキャビネット２をパネルモジュール１に仮固定した状態でバックキャビネット３とフロントキャビネット２とを結合固定することができるため、フロントキャビネット２が結合固定される間に振動、衝撃がフロントキャビネット２に加わることがあっても、該フロントキャビネット２の仮固定の状態を維持することができ、フロントキャビネット２及びバックキャビネット３の組込作業性を向上できる。
【００２８】
以上のように組み立てられた表示装置は、バックキャビネット３の周縁部はフロントキャビネット２の筒部２２により隠蔽され、筒部２２だけが見えるため、外部形状を単純にできる。
【００２９】
また、フロントキャビネット２はパネルモジュール１に仮固定された状態でバックキャビネット３と結合固定されているため、スタンド４によりパネルモジュール１の起立状態が維持されている状態でバックライト部１６裏側の電気部品１７等のメンテナンスを行うべくバックキャビネット３を取外したとき、フロントキャビネット２の仮固定の状態を維持することができ、フロントキャビネット２の転倒を防ぐことができる。従って、フロントキャビネット２の転倒を気遣うことなくメンテナンスを容易に行うことができ、電気部品１７等のメンテナンスの能率を向上できる。
【００３０】
図７は本発明に係る表示装置の他の実施の形態を示す要部の拡大断面図である。この表示装置は、フック１９ａを有する係止部１９をパネルモジュール１に設け、係止部１９に係止される被係止部２６をフロントキャビネット２の環部２１の内側に突設したものである。係止部１９は一端が筒部１２ｃと一体に設けられ、他端にフック１９ａを有する金属板からなり、被係止部２６がフック１９ａに係止されるとき、係止部１９が撓むように構成されている。被係止部２６は、環部２１の内側に突設されている。
その他の構成及び作用は図１〜図６に示した実施の形態と同様であるため、同様の部品については同じ符号を付し、その詳細な説明及び作用効果の説明を省略する。
【００３１】
なお、以上説明した実施の形態では、フロントキャビネット２の環部２１の三箇所に被係止部２３，２６を設けたが、被係止部２３，２６の個数は特に制限されない。
【００３２】
また、本発明に係る表示装置は液晶テレビ等の液晶表示装置である他、プラズマ表示装置、ＥＬディスプレィ等の表示装置であってもよい。
【図面の簡単な説明】
【００３３】
【図１】本発明に係る表示装置の構成を示す背面側の概略斜視図である。
【図２】本発明に係る表示装置を分解した背面側の概略斜視図である。
【図３】本発明に係る表示装置の要部の拡大断面図である。
【図４】本発明に係る表示装置の要部の拡大断面図である。
【図５】本発明に係る表示装置の一部を分解した拡大斜視図である。
【図６】本発明に係る表示装置の一部を分解した拡大斜視図である。
【図７】本発明に係る表示装置の他の実施の形態を示す要部の拡大断面図である。
【符号の説明】
【００３４】
１    パネルモジュール
１１  パネル本体
１１ａ  表示面
１２  保持枠体
１２ｃ  係止部
２    フロントキャビネット
２１  環板部
２２  筒部
２３  被係止部
２３ａ  フック
２４  リブ
３    バックキャビネット
【図１】
2006337976.tif 000003
【図２】
2006337976.tif 000004
【図３】
2006337976.tif 000005
【図４】
2006337976.tif 000006
【図５】
2006337976.tif 000007
【図６】
2006337976.tif 000008
【図７】
2006337976.tif 000009